(57)【特許請求の範囲】
【請求項１】
記録媒体を保持する記録媒体保持部が設けられると共に、上記記録媒体保持部に保持した記録媒体に記録されたデータの読み出しを行う読出位置と、上記記録媒体保持部に保持した記録媒体の取り出しを行う取出位置とに亘って直線的に移動する本体部と、
上記本体部の移動方向と平行に上記本体部の両側にそれぞれ設けられ、上記本体部の移動をガイドする第１及び第２のガイド部とを備え、
上記本体部と上記ガイド部とは、合成樹脂によって一体的に形成されており、
上記第１のガイド部には、上記本体部を上記読出位置と上記取出位置とに亘って移動する際に搬送機構側の駆動ギヤが噛合されるラックギヤと、上記搬送機構の一方の側に設けたの第１のガイド突部が係合される第１のガイド溝とが上記本体部の移動方向に沿って形成され、
上記第２のガイド部には、上記本体部を上記読出位置と上記取出位置とに亘って移動する際に、上記搬送機構の他方の側に設けた第２のガイド突部が係合される第２のガイド溝が上記本体部の移動方向に沿って形成され、
上記第１のガイド溝は、基準となって上記本体部を支持するように先端側が他の部分よりも幅広に形成され、
上記第２のガイド溝は、補助的に上記本体部を支持するように先端側が他の部分とほぼ一定の幅で形成され、
上記本体部の長手方向の中心線より上記第２のガイド部側には、上記搬送機構側の第３のガイド突部に係合される第３のガイド溝が設けられ、上記本体部が上記読出位置にあるとき、この第３のガイド溝は上記第３のガイド突部に係合される記録媒体保持装置。
【請求項２】
上記ラックギヤは、上記移動方向に沿って内側に向かって形成され、上記第１のガイド溝は、上記移動方向に沿った内側の面を移動時の基準面として上記ラックギヤの外側に形成され、先端側が、この内側の面を基準にして、外側に向かって幅広となるように形成されている請求項１記載の記録媒体保持装置。
【請求項３】
上記本体部の前面部には、化粧板が取り付けられている請求項１記載の記録媒体保持装置。
【請求項４】
記録媒体を保持する記録媒体保持部が設けられると共に、上記記録媒体保持部に保持した記録媒体に記録されたデータの読み出しを行う読出位置と、上記記録媒体保持部に保持した記録媒体の取り出しを行う取出位置とに亘って直線的に移動する際の第１及び第２のガイド部が移動方向と平行な両側にそれぞれ設けられる合成樹脂製の記録媒体保持部材と、
上記記録媒体保持部材の上記読出位置と上記取出位置とに亘っての移動をガイドするガイド手段と、
上記記録媒体保持部材を、上記読出位置と上記取出位置とに亘って移動させる搬送手段とを備え、
上記記録媒体保持部材の上記第１のガイド部には、移動方向に沿って、ラックギヤと第１のガイド溝とが形成され、
上記記録媒体保持部材の上記第２のガイド部には、移動方向に沿って、第２のガイド溝とが形成され、
上記第１のガイド溝は、基準となって上記本体部を支持するように先端側が他の部分よりも幅広に形成され、
上記第２のガイド溝は、補助的に上記本体部を支持するように先端側が他の部分とほぼ一定の幅で形成され、
上記ガイド手段は、上記第１及び第２のガイド溝にそれぞれ係合される第１及び第２のガイド突部を有し、
上記搬送手段は、上記ラックギヤに噛合される駆動ギヤを有し、上記駆動ギヤを回転させることによって上記第１及び第２のガイド溝に上記第１及び第２のガイド突部がそれぞれ係合された上記記録媒体保持部材を上記読出位置と上記取出位置とに亘って移動させ、
上記記録媒体保持部材の長手方向の中心線より、上記記録媒体保持部材の上記第２のガイド部が設けられた側に位置して設けられた第３のガイド溝が係合する第３のガイド突部を有し、この第３のガイド突部は、上記記録媒体保持部材が上記読出位置にあるとき、上記第３のガイド溝に係合して読出位置の規制をしている搬送装置。
【請求項５】
上記ラックギヤは、上記移動方向に沿って内側に向かって形成され、上記第１のガイド溝は、上記移動方向に沿った内側の面を移動時の基準面として上記ラックギヤの外側に形成され、先端側が、この内側の面を基準にして、外側に向かって幅広となるように形成され、
上記搬送手段は、上記駆動ギヤを上記ラックギヤに噛合させて上記記録媒体保持部材を移動操作する請求項４記載の搬送装置。
【請求項６】
上記記録媒体保持部材の前面部には、化粧板が取り付けられている請求項４記載の搬送装置。
【請求項７】
記録媒体を保持する記録媒体保持部が設けられると共に、上記記録媒体保持部に保持した記録媒体に記録されたデータの読み出しを行う読出位置と、上記記録媒体保持部に保持した記録媒体の取り出しを行う取出位置とに亘って直線的に移動する記録媒体保持部材と、
上記記録媒体保持部材を、上記読出位置と上記取出位置とに亘って移動させる搬送部と、
上記記録媒体保持部材の移動方向と平行に上記記録媒体保持部材の両側にそれぞれ設けられ、上記記録媒体保持部材の移動をガイドする第１及び第２のガイド部と、
上記記録媒体に記録されたデータを読み出す再生部とを備え、
上記記録媒体保持部材と上記ガイド部は、合成樹脂によって一体的に形成されており、
上記第１のガイド部は、上記記録媒体保持部材を上記読出位置と上記取出位置とに亘って移動する際に上記搬送部の駆動ギヤが噛合されるラックギヤと、上記搬送部のガイド突部が係合される第１のガイド溝とが、上記記録媒体保持部材の移動方向に沿って形成され、
上記第１のガイド溝は、基準となって上記本体部を支持するように先端側が他の部分よりも幅広に形成され、
上記第２のガイド溝は、補助的に上記本体部を支持するように先端側が他の部分とほぼ一定の幅で形成され、
上記記録媒体保持部材の長手方向の中心線より上記第２のガイド部側には、上記搬送部の第３のガイド突部に係合される第３のガイド溝が設けられ、上記記録媒体保持部材が上記読出位置にあるとき、この第３のガイド溝は上記第３のガイド突部に係合される再生装置。
【請求項８】
上記ラックギヤは、上記移動方向に沿って内側に向かって形成され、上記第１のガイド溝は、上記移動方向に沿った内側の面を移動時の基準面として上記ラックギヤの外側に形成され、先端側が、この内側の面を基準にして、外側に向かって幅広となるように形成される請求項７記載の再生装置。
【請求項９】
上記記録媒体保持部材の前面部には、当該再生装置の外筐の一部を構成すると共に挿脱口を閉塞する化粧板が取り付けられている請求項７記載の再生装置。
【発明の詳細な説明】
【０００１】
【発明の属する技術分野】
本発明は、ディスク等の記録媒体単体やディスクカートリッジ等の記録媒体カートリッジを保持しながら記録媒体の読出位置と取出位置とに亘って移動される記録媒体保持装置、記録媒体保持部材の搬送装置及びこの搬送装置を備えた再生装置に関する。
【０００２】
【従来の技術】
ディスク再生装置には、記録媒体である光ディスクを、データの読み出しを行う読出位置と光ディスクの取り出しを行う取出位置とに亘って移動するためにディスクトレイを用いるものがある。このディスクトレイは、略矩形板状をなすトレイ本体を有し、このトレイ本体には、略内接する光ディスクと略同径のディスク保持部が凹状に形成されている。また、トレイ本体には、移動方向の両端部に、上記読出位置と取出位置とに亘る移動をガイドするガイド溝が直線的に形成されている。トレイ本体の両端部に設けられたガイド溝には、搬送機構側のガイド突部が係合され、一方のガイド溝側には、ラックギヤが形成され、このラックギヤには、搬送機構側の駆動ギヤが噛合されている。ディスクトレイは、駆動モータが駆動されることによって駆動ギヤが回転され、直線的に形成されたガイド溝に係合されたガイド突部によってガイドされながら読出位置と取出位置とに亘って直線的に移動される。
【０００３】
このディスクトレイには、ディスク保持部に保持された光ディスクの信号記録面を装置本体側に取り付けられた光ピックアップ装置に臨ませるための光ピックアップ用開口部、装置本体の振動吸収機構の逃げとなる開口部等が貫通孔で形成されている。
【０００４】
ディスクトレイは、光ディスクの再生時、搬送機構により装置本体内に引き込まれた状態にあり、光ディスクの信号記録面を光ピックアップ用開口部より光ピックアップ装置に臨ませる。ディスク保持部に保持されている光ディスクは、ディスク回転駆動機構によってチャッキングされ回転されると共に、光ピックアップ装置が信号記録面に対して光ビームを照射しこの反射光を検出することによってデータの読み出しが行われる。また、ディスクトレイは、光ディスクの取り出し時、装置本体外に引き出された状態となり、光ディスクの交換可能な状態になる。
【０００５】
【発明が解決しようとする課題】
ところで、ディスクトレイは、通常ＡＢＳ樹脂等の合成樹脂材料を用いて射出成形により形成されている。ディスクトレイは、射出成形によって、上述したような凹部のディスク保持部や貫通孔の開口部が設けられており、複雑な形状を有している。このため、ディスクトレイは、射出成形により形成する際に、歪み等が発生して、ガイド溝が直線的に形成されず、変形してしまうことがある。例えば、ディスクトレイは、幅方向に膨らんだ略樽型の形状に形成され、ガイド溝が外側に湾曲した形状になってしまう。このようにガイド溝が変形したときには、ディスクトレイは、読出位置や取出位置において、水平方向の傾きが生じてしまう。
【０００６】
ディスクトレイは、先端部に、装置本体の外筐の一部を構成する蓋体が取り付けられていることがあり、ディスクトレイを装置本体に収納した読出位置にあるときにディスクトレイが傾くと、この蓋体が外筐の他の領域と面一にならず、装置本体の見栄えを悪くする原因となる。また、ディスクトレイが読出位置において傾いていると、ディスク保持部に保持した光ディスクの位置がチャッキング位置に対してずれてしまい、ディスク回転駆動機構によって確実に光ディスクをチャッキングすることができなくなることもある。
【０００７】
本発明は、以上のような課題に鑑みてなされたものであり、その目的は、記録媒体保持部材を、傾くことなく正規な状態で保持し、先端部に外筐の一部を構成する化粧板を取り付けたときにも、外筐と面一をなし、外観を悪くすることを防止することができる記録媒体保持装置、この記録媒体保持部材を直線的に搬送することができる搬送装置及びこの搬送装置を備えた再生装置を提供することにある。
【０００８】
また、本発明の目的は、記録媒体保持部材を正規な位置で保持し、記録媒体を確実に記録及び／又は再生できるようにする記録媒体保持装置、記録媒体保持部材を直線的に搬送することができる搬送装置及びこの搬送装置を備えた再生装置を提供することにある。
【０００９】
【課題を解決するための手段】
本発明に係る記録媒体保持装置は、上述した課題を解決するため、記録媒体を保持する記録媒体保持部が設けられると共に、上記記録媒体保持部に保持した記録媒体に記録されたデータの読み出しを行う読出位置と、上記記録媒体保持部に保持した記録媒体の取り出しを行う取出位置とに亘って直線的に移動する本体部と、上記本体部の移動方向と平行に上記本体部の両側にそれぞれ設けられ、上記本体部の移動をガイドする第１及び第２のガイド部とを備える。そして、本体部と上記ガイド部とは、合成樹脂によって一体的に形成されており、上記第１のガイド部は、上記本体部を上記読出位置と上記取出位置とに亘って移動する際に搬送装置側の駆動ギヤが噛合されるラックギヤと、上記搬送装置側の第１のガイド突部が係合される第１のガイド溝とが上記本体部の移動方向に沿って形成され、上記第１のガイド溝は、基準となって上記本体部を支持するように先端側が他の部分よりも幅広に形成され、上記第２のガイド溝は、補助的に上記本体部を支持するように先端側が他の部分とほぼ一定の幅で形成され、上記本体部の長手方向の中心線より上記第２のガイド部側には、上記搬送機構側の第３のガイド突部に係合される第３のガイド溝が設けられ、上記本体部が上記読出位置にあるとき、この第３のガイド溝は上記第３のガイド突部に係合に係合するようにしたものである。
【００１０】
また、本発明に係る搬送装置は、上述した課題を解決するため、記録媒体を保持する記録媒体保持部が設けられると共に、上記記録媒体保持部に保持した記録媒体に記録されたデータの読み出しを行う読出位置と、上記記録媒体保持部に保持した記録媒体の取り出しを行う取出位置とに亘って直線的に移動する際の第１及び第２のガイド部が移動方向と平行な両側にそれぞれ設けられる合成樹脂製の記録媒体保持部材と、上記記録媒体保持部材の上記読出位置と上記取出位置とに亘っての移動をガイドするガイド手段と、上記記録媒体保持部材を、上記読出位置と上記取出位置とに亘って移動させる搬送手段とを備える。そして、記録媒体保持部材の上記第１のガイド部には、移動方向に沿って、ラックギヤと第１のガイド溝とが形成され、上記記録媒体保持部材の上記第２のガイド部には、移動方向に沿って、第２のガイド溝とが形成され、上記第１のガイド溝は、基準となって上記本体部を支持するように先端側が他の部分よりも幅広に形成され、上記第２のガイド溝は、補助的に上記本体部を支持するように先端側が他の部分とほぼ一定の幅で形成され、上記ガイド手段は、上記第１及び第２のガイド溝にそれぞれ係合される第１及び第２のガイド突部を有し、上記搬送手段は、上記ラックギヤに噛合される駆動ギヤを有し、上記駆動ギヤを回転させることによって上記第１及び第２のガイド溝に上記第１及び第２のガイド突部がそれぞれ係合された上記記録媒体保持部材を上記読出位置と上記取出位置とに亘って移動させ、上記記録媒体保持部材の長手方向の中心線より、上記記録媒体保持部材の上記第２のガイド部が設けられた側に位置して設けられた第３のガイド溝が係合する第３のガイド突部を有し、この第３のガイド突部は、上記記録媒体保持部材が上記読出位置にあるとき、上記第３のガイド溝に係合して読出位置の規制をする。
【００１１】
更に、本発明に係る再生装置は、上述した課題を解決するため、記録媒体を保持する記録媒体保持部が設けられると共に、上記記録媒体保持部に保持した記録媒体に記録されたデータの読み出しを行う読出位置と、上記記録媒体保持部に保持した記録媒体の取り出しを行う取出位置とに亘って直線的に移動する記録媒体保持部材と、上記記録媒体保持部材を、上記読出位置と上記取出位置とに亘って移動させる搬送部と、上記記録媒体保持部材の移動方向と平行に上記記録媒体保持部材の両側にそれぞれ設けられ、上記記録媒体保持部材の移動をガイドする第１及び第２のガイド部と、上記記録媒体に記録されたデータを読み出す再生部とを備える。そして、記録媒体保持部材と上記ガイド部は、合成樹脂によって一体的に形成されており、上記第１のガイド部は、上記記録媒体保持部材を上記読出位置と上記取出位置とに亘って移動する際に上記搬送部の駆動ギヤが噛合されるラックギヤと、上記搬送部のガイド突部が係合される第１のガイド溝とが、上記記録媒体保持部材の移動方向に沿って形成され、上記第１のガイド溝は、基準となって上記本体部を支持するように先端側が他の部分よりも幅広に形成され、上記第２のガイド溝は、補助的に上記本体部を支持するように先端側が他の部分とほぼ一定の幅で形成され、上記記録媒体保持部材の長手方向の中心線より上記第２のガイド部側には、上記搬送部の第３のガイド突部に係合される第３のガイド溝が設けられ、上記記録媒体保持部材が上記読出位置にあるとき、この第３のガイド溝は上記第３のガイド突部に係合するようにしたものである。
【００１２】
【発明の実施の形態】
以下、本発明が適用されたディスク再生装置を図面を参照して説明する。図１に示すように、本発明を適用したディスク再生装置１は、ＣＤ（Compact Disc）やＤＶＤ（Digital Versatile Disk）等の光ディスク２を記録媒体に用いる装置であって、装置本体を構成する外筐３を有する。この外筐３には、その内部にベース４が配設され、このベース４には、光ディスク２を回転するディスク回転駆動機構５や光ディスク２に対して光ビームを照射する光ピックアップ装置６等が配設され、再生部が構成されている。
【００１３】
ここで、光ディスク２は、一方の面に記録データに応じたピットパターンが設けられた光透過性のディスク基板の一方の面に反射膜、保護膜を積層して形成してなるものであって、中央部に、ディスク回転駆動機構５のディスクテーブル８が係合するセンタ孔２ａが設けられている。この光ディスク２は、ディスク基板側が信号記録面とされ、この信号記録面が光ピックアップ装置６と対向するようにディスク再生装置１に装着される。なお、この光ディスク２は、ピットパターンによって予めデータが記録されている再生専用光ディスクの他、有機色素材料を記録層に用いる追記型光ディスク、相変化材料を記録層に用いる書換型光ディスクであってもよい。
【００１４】
このような光ディスク２を回転駆動するディスク回転駆動機構５は、光ディスク２を回転するための駆動源となるスピンドルモータ７を有し、このスピンドルモータ７は、ベース４の下面側略中央部に、駆動軸をベース４の上面側に突出させるように配設されている。このスピンドルモータ７の駆動軸には、光ディスク２のセンタ孔２ａに係合されるディスクテーブル８が取り付けられている。また、ディスクテーブル８と対向する位置には、図示しないがクランピングプレートが取り付けられている。光ディスク２を回転するとき、ディスクテーブル８は、光ディスク２をディスクトレイ２０より僅かに持ち上げると共に、クランピングプレートとで回転可能な状態に挟持する。ディスクテーブル８は、クランピングプレートとで回転可能に狭持した光ディスク２を、スピンドルモータ７が駆動されることによって、例えば線速度が一定となるように回転する。
【００１５】
また、ベース４には、光ピックアップ装置６が配設されている。この光ピックアップ装置６は、光学系として、光ビームを出射する半導体レーザ、この半導体レーザより出射された光ビームを集束する対物レンズ９、光ディスク２で反射された戻りの光ビームを検出する光検出器等を備える。半導体レーザより出射された光ビームは、対物レンズ９により集束され、光ディスク２の信号記録面に照射される。光ディスク２の信号記録面で反射された戻りの光ビームは、光検出器により電気信号に変換され、ＲＦアンプに出力される。
【００１６】
また、光ピックアップ装置６は、対物レンズ９をフォーカシング方向とトラッキング方向に駆動変位する対物レンズ駆動機構を備えている。この対物レンズ駆動機構は、フォーカシング制御用、トラッキング制御用として、それぞれベース側に取り付けられたマグネットと対物レンズ９を保持するレンズホルダ側に取り付けられるコイルとを有する。フォーカシング制御用及びトラッキング制御用の対物レンズ駆動機構は、マグネットが発生する磁界とコイルに流れる電流の作用によって、対物レンズ９をフォーカシング方向とトラッキング方向に駆動変位する。このように構成される光ピックアップ装置６は、ベース４に設けられた開口部１１に配設されるガイド軸１２によって、ディスクテーブル８に支持された光ディスク２の径方向に移動可能に支持される。光ピックアップ装置１３は、ベース４に取り付けられたモータ１３を駆動源とする送り機構によって光ディスク２の径方向に送り操作される。
【００１７】
このようにベース４には、ディスク回転駆動機構５や光ピックアップ装置６が配設されることによって、光ディスク２に記録されたデータの読み出しを行う再生部が構成される。そして、このディスク再生装置１では、ディスクトレイ２０を用いて光ディスク２の再生部への搬送が行われる。
【００１８】
このディスクトレイ２０について図２及び図３を参照して説明すると、このディスクトレイ２０は、略矩形の板状体からなるトレイ本体２１を有する。このトレイ本体２１には、一方の主面部に、光ディスク２を保持する略円形の第１の保持部２２が内接するように設けられている。この第１のディスク保持部２２は、凹状に形成され、直径を略１２ｃｍとなす光ディスク２を保持する。また、トレイ本体２１には、この第１のディスク保持部２２と中心を一致させた第１のディスク保持部２２より小径の第２のディスク保持部２３が設けられている。第２のディスク保持部２３は、第１のディスク保持部２２の底面より更に下側に凹状に形成され、直径を略８ｃｍとなす光ディスク２を保持する。
【００１９】
また、トレイ本体２１には、光ディスク２の信号記録面を光ピックアップ装置６に臨ませるための開口部２４が設けられている。開口部２４は、トレイ本体２１の幅方向略中央であって背面側から長手方向中央部に亘って設けられ、第１のディスク保持部２２若しくは第２のディスク保持部２３に回転可能に保持された光ディスク２の信号記録領域を内外周に亘って光ピックアップ装置６の対物レンズ９に臨ませるようにしていると共にセンタ孔２ａをディスク回転駆動機構５のディスクテーブル８に臨ませるようにしている。光ディスク２の再生時において、ディスク回転駆動機構５を構成するディスクテーブル８は、この開口部２４より進入し、光ディスク２のセンタ孔２ａに係合し、また、光ピックアップ装置６は、光ビームを、この開口部２４よりディスクテーブル８により回転されている光ディスク２の信号記録領域の内外周に亘って照射する。
【００２０】
トレイ本体２１の長手方向両側縁部の略中央領域には、切欠部２５，２５が設けられている。切欠部２５，２５は、第１のディスク保持部２２に保持された光ディスク２の外周縁の一部を第１のディスク保持部２２の外部に臨ませ、ユーザが光ディスク２の出し入れを容易に行うことができるようにしている。また、第１のディスク保持部２２と第２のディスク保持部２３との境界部の前面側には、光ピックアップ装置６の振動防止機構８５，８５の逃げ穴２６，２６が設けられている。振動防止機構８５，８５は、光ピックアップ装置６が配設されるベース４に取り付けられ、外筐３に加わった振動が光ピックアップ装置６に伝わり、光ピックアップ装置６がデータの読み取りを正確に行うことができなくなることを防止している。光ディスク２の再生時において、ベース４がディスクトレイ２０に対して近接したとき、振動防止機構８５，８５は、光ディスク２に接触しないように第１及び第２のディスク保持部２２，２３側に突出しない程度に逃げ穴２６，２６に係合する。
【００２１】
トレイ本体２１の前面部には、外筐３の一部を構成する化粧板２７を取り付けるための取付片２８が設けられている。化粧板２７は、外筐３に設けられたディスクトレイ２０の挿脱を行うための挿脱口２９を閉塞する蓋体ともなる。化粧板２７の裏面には、取付溝３１が設けられており、化粧板２７は、トレイ本体２１側の取付片２８が取付溝３１に係合されることによって、トレイ本体２１の前面部に取り付けられる。
【００２２】
トレイ本体２１の背面側の一方のコーナ部には、膨出部３２とこの膨出部３２に連続した開口部３３とが設けられている。膨出部３２と開口部３３とは、ディスクトレイ２０が外筐３内に収納されたとき、ベース４に取り付けられた光ピックアップ装置６を光ディスク２の径方向に移動操作する送り機構の駆動源となるモータ１３の逃げ部を構成する。
【００２３】
図２及び図３に示すように、トレイ本体２１の長手方向両側縁部には、ディスクトレイ２０を移動する際のガイドとなる第１のガイドレール３４と第２のガイドレール３５とが外側に突出して設けられている。第１のガイドレール３４は、トレイ本体２１の長手方向の一方の側縁部に連続して直線状に設けられ、第２のガイドレール３５は、トレイ本体２１の長手方向の他方の側縁部に連続して直線状に設けられている。
【００２４】
先ず、トレイ本体２１の長手方向に沿った一方の側縁部に設けられた第１のガイドレール３４について説明すると、図３に示すように、トレイ本体２１の裏面の一方の側縁部には、内方に向かって直線状のラックギヤ３６が設けられている。このラックギヤ３６には、ディスクトレイ２１を移動操作するための搬送機構７０を構成する駆動ギヤ７８が噛合される。ディスクトレイ２０は、駆動ギヤ７８が回転することによって、外筐３の内外に亘って移動操作されることになる。このラックギヤ３６の外側には、ガイド機構５０側の複数の第１のガイド片５５やガイド突部５６，５７が係合される第１のガイド溝３７が直線状に設けられている。この第１のガイド溝３７は、複数の第１のガイド片５５やガイド突部５６，５７が係合することで、ディスクトレイ２０を直線的に外筐３の内外に亘って移動することができるようにしている。
【００２５】
この第１のガイド溝３７は、図８に示すように、先端側を除いて幅がガイド機構５０側の第１のガイド片５５やガイド突部５６，５７より僅かに幅広な寸法ｂとなるように形成され、先端側が寸法ｂより大きい寸法ａとされ、寸法ｂの基準幅部３７ｂと寸法ａの拡幅部３７ａとから構成されている。第１のガイド溝３７は、幅が寸法ｂから寸法ａに切り換わる位置において、移動方向に緩やかな傾斜となっており、ディスクトレイ２０が移動する際異音が発生しないようになっている。第１のガイド溝３７は、ラックギヤ３６側の面、すなわち内側の面３８が基準面となっており、拡幅部３７ａでは、この内側の面３８を基準として、寸法ａとなるように幅を広くしている。
【００２６】
これらを具体的に第１のガイド溝３７を構成する拡幅部３７ａの寸法ａ及び基準幅部３７ｂの寸法ｂについて説明すると、図８に示すように、基準幅部３７ｂから拡幅部３７ａに変化を始めるＬ２部では、常にガイド機構５０を構成する基端側のガイド突部５７が寸法ｂの基準幅部３７ｂに係合する条件を満たすようになっており、また、拡幅部３７ａから基準幅部３７ｂに変化を始めるＬ１部では、後述する第３のガイド溝４０と第３のガイド突部６３とが係合するときに、先端側のガイド突部５６が寸法ａの拡幅部３７ａの係合する条件を満たすようになっている。
【００２７】
ここで、ディスクトレイ２０は、ＡＢＳ等の合成樹脂を射出成型により成型されるものであって、一体成型品である。ディスクトレイ２０は、第１及び第２のディスク保持部２２，２３等の凹部、開口部２４，３３等の貫通孔、切欠部２５等を設ける必要があり、複雑な形状をしており、また、ユーザの目に触れる側の面の見栄えを良くするためシボ加工等を施すために金型の上型と下型とで温度を変える必要がり、このような要因で、射出成型時に歪みが発生し、設計寸法と全く同じに成型することは困難である。例えば、ディスクトレイ２０は、図４に示すように、射出成型により成型すると、長手方向の中程で最も幅が広くなる略樽型に成型されてしまう。これによって、第１のガイド溝３７も僅かに外側に湾曲した反った形状に形成されてしまうことになる。そこで、拡幅部３７ａの寸法ａは、基準幅部３７ａの寸法ｂより内側の面３８を基準にして、例えば反り量分ｄだけ拡幅して形成されている。
【００２８】
次に、トレイ本体２１の長手方向に沿った他方の側縁部に設けられた第２のガイドレール３５について説明すると、図３に示すように、第２のガイドレール３５の裏側には、第２のガイド溝３９が設けられている。この第２のガイド溝３９も、上記第１のガイド溝３７と同様に、直線状に設けられている。この第２のガイド溝３９は、複数の第２のガイド片６１が係合することで、上記第１のガイド溝３７と共同してディスクトレイ２０を直線的に外筐３の内外に亘って移動することができるようにしている。なお、この第２のガイド溝３９は、第１のガイド溝３７異なり一定の幅で形成されている。すなわち、ディスクトレイ２０の移動は、第１のガイド溝３７を基準として行い、第２のガイド溝３９は、トレイ本体２１の他端側を支持する補助的なものとなっている。
【００２９】
更に、トレイ本体２１の裏面側の長手方向の中心線Ｏよりやや第２のガイド溝３９側であってトレイ本体２１の背面側には、光ディスク２のチャッキング時におけるディスクトレイの位置決めをするための第３のガイド溝４０が設けられている。この第３のガイド溝４０は、外筐３内に収納された状態において、ガイド機構５０側の第３のガイド突部６３が係合されことで、光ディスク２のチャッキング時の位置を正確に位置決めできるようになっている。これにより、開口部２４より進入するディスクテーブル８は、確実にセンタ孔２ａに係合し、クランピングプレートと共同して光ディスク２を回転可能に挟持することができる。
【００３０】
更に、トレイ本体２１の裏面側であって、第２のガイド溝３９の内側には、再生部が構成されたベース４を回動し、光ディスク２を再生する再生位置とローディング時に再生部を待避させる待避位置に亘って移動させるための再生部操作溝４１が設けられている。この再生部操作溝４１は、ほぼ全体が第２のガイド溝３９と平行に設けられており、トレイ本体２１の背面側に第２のガイド溝３９と平行に設けられる第１の直線部４１ａと、この第１の直線部４１ａと連続し内側に折曲した第１の傾斜部４１ｂと、第１の傾斜部４１ｂと連続し第１の直線部４１ａより内側に第２のガイド溝３９と平行に設けられる第２の直線部４１ｃと、第２の直線部４１ｃと連続しトレイ本体２１の前面側において内側に折曲する第２の傾斜部４１ｄと、この第２の傾斜部４１ｄに連続し直線部４１ａ，４１ｃに対して垂直な垂直部４１ｅとからなり、全体が略Ｊ字状に形成されている。
【００３１】
詳細は後述するが、再生部操作溝４１には、再生部が構成されたベース４をディスクトレイ２０に対して近接離間する方向に回動操作するためディスクトレイ２０と直交する方向に移動する操作部材９１の係合突起９９が係合され、ディスクトレイ２０の移動と関連してベース４を回動し、再生位置と待避位置とに亘って回動できるようになっている。
【００３２】
ディスクトレイ２０が外筐３より引き出され光ディスク２を交換できる位置にあるとき、操作部材の係合突起９９は、第１の直線部４１ａに係合しており、操作部材９１は、ベース４を待避位置に保持している。ディスクトレイ２０が外筐３内に引き込まれるに連れて、第１の傾斜部４１ｂ、第２の直線部４１ｃに亘って移動する。ディスクトレイ２０の引き込み動作時において、係合突起９９は、第２の直線部４１ｃを移動することから、操作部材９１は移動することなく、ベース４も待避位置にある。ディスクトレイ２０の引き込み動作が終了すると、係合突起９９は、第２の傾斜部４１ｄから垂直部４１ｅに亘って移動する。これによって、操作部材９１は、ベース４をディスクトレイ２０に近接する方向に移動し、再生位置に保持する。
【００３３】
次に、以上のようなディスクトレイ２０を装置本体を構成する外筐３に対して出し入れする際のガイド機構５０について、図５乃至図９を参照して説明する。ガイド機構５０は、図５及び図６に示すように、ディスクトレイ２０の第１のガイドレール３４に係合される第１のガイド部５１と第２のガイドレール３５に係合される第２のガイド部５２とを有する。第１のガイド部５１と第２のガイド部５２は、略矩形のフレーム５３に設けられる。このフレーム５３は、外筐３の内部に取り付けられるものであって、長手方向の２つの第１及び第２の側壁５３ａ，５３ｂにそれぞれ第１のガイド部５１と第２のガイド部５２とが設けられる他に、再生部が構成されるベース４が取り付けられる。
【００３４】
先ず、第１のガイド部５１について、図５乃至図８を参照して説明すると、この第１のガイド部５１は、第１の側壁５３ａに設けられた第１のガイドレール３４を支持する第１の支持片５４を有する。この第１の支持片５４は、上面が第１のガイドレール３４を支持する支持面となり、この支持面には、第１のガイド溝３７に係合する複数の第１のガイド片５５が一列に並んで設けられている。これら第１のガイド片５５は、第１のガイド溝３７に係合できるように、第１のガイド溝３７の基準幅部３７ｂの寸法ｂよりやや小さい厚みを有するように形成されている。また、第１の支持片５４の支持面の前方には、第１のガイド片５５の延長線上に、ガイド突部５６，５７が設けられている。第１のガイド突部５６，５７も、第１のガイド溝３７の基準幅部３７ｂの寸法ｂよりやや小さい厚みを有するように形成されている。
【００３５】
更に、第１のガイド部５１は、第１の側壁５３ａの第１の支持片５４の上側に、第１のガイドレール３４の上側に係合する複数の第１の係合片５８が設けられている。第１のガイドレール３４は、第１の支持片５４によって支持され、第１の係合片５８が上側から係合されることによって、上下方向のがたつきが規制され、第１のガイド溝３７に複数の第１のガイド片５５とガイド突部５６，５７が係合することによって水平方向のがたつきが規制された状態で、ディスクトレイ２０の出し入れの方向に移動可能に保持される。
【００３６】
次に、第２のガイド部５２について、図５乃至図７を参照して説明すると、この第２のガイド部５２は、第２の側壁５３ｂに設けられた第２のガイドレール３５を支持する第２の支持片５９を有する。この第２の支持片５９は、上面が第２のガイドレール３５を支持する支持面となり、この支持面には、第２のガイド溝３９に係合する複数の第２のガイド片６１が一列に並んで設けられている。これら第２のガイド片６１は、第２のガイド溝３９に係合できるように、第１のガイド溝３７の幅よりやや小さい厚みを有するように形成されている。
【００３７】
更に、第２のガイド部５２は、第２の側壁５３ｂの第２の支持片５９の上側に、第２のガイドレール３５の上側に係合する複数の第２の係合片６２が設けられている。第２のガイドレール３５は、第２の支持片５９によって支持され、第２の係合片６２が上側から係合されることによって、上下方向のがたつきが規制され、第２のガイド溝３８に複数の第２のガイド片６１が係合することによって水平方向のがたつきが規制された状態で、ディスクトレイ２０の出し入れの方向に移動可能に保持される。
【００３８】
更に、ガイド機構５０は、図５、図６及び図９に示すように、フレーム５３の側壁５３ａ，５３ｂ間の背面壁５３ｃには、ディスクトレイ２０の第３のガイド溝４０に係合する第３のガイド突部６３が設けられている。第３のガイド突部６３は、ディスクトレイ２０が外筐３に収納されたとき、第３のガイド溝４０に嵌合し、光ディスク２のチャッキング時の位置を正確に位置決めできるようになっている。これにより、開口部２４より進入するディスクテーブル８は、確実にセンタ孔２ａに係合し、クランピングプレートと共同して光ディスク２を回転可能に挟持することができる。
【００３９】
次に、ディスクトレイ２０を外筐３の内外に亘って移動する搬送機構７０について、図５及び図６を参照して説明する。図５に示すように、搬送機構７０は、駆動源として駆動モータ７１を有する。この駆動モータ７１は、フレーム５３の側壁５３ａ，５３ｂに一体的に設けられた取付板７２の下面側に、駆動軸を上面側に突出させるようにして取り付けられている。駆動モータ７１の駆動軸には、第１のプーリ７３が取り付けられ、無端ベルト７４によって取付板７２に植立された支軸に取り付けられた第２のプーリ７５に接続されている。第２のプーリ７５には、ギヤ部７５ａが一体的に設けられている。また、取付板７２には、支軸が植立されており、この支軸には、中間ギヤ７６が取り付けられている。中間ギヤ７６は、第１のギヤ部７６ａと第２のギヤ部７６ｂとを有し、第１のギヤ部７６ａが第２のプーリ７５のギヤ部７５に噛合されている。取付板７２には、支軸が植立されており、この支軸に伝達ギヤ７７が取り付けられている。この伝達ギヤ７７は、駆動モータ７１の駆動力をディスクトレイ２０の移動と再生部が構成されたベース４の操作に用いることができるようにするものであって、中間ギヤ７６の第２のギヤ部７６ｂに噛合される伝達ギヤ部７７ａとディスクトレイ２０を操作するためのトレイ用ギヤ部７７ｂとベース４を操作するためのベース用ギヤ部７７ｃとが一体的に設けられている。更に、取付板７２には、支軸が植立されており、この支軸には、ディスクトレイ２０を移動操作するための駆動ギヤ７８が取り付けられている。駆動ギヤ７８は、伝達ギヤ７７のトレイ用ギヤ部７７ｂに噛合されると共にディスクトレイ２０のラックギヤ３６に噛合される。
【００４０】
以上のように構成される搬送機構７０は、例えば駆動モータ７１が正転駆動されると、この駆動力が第１のプーリ７３、第２のプーリ７５、中間ギヤ７６、伝達ギヤ７７ａを介して駆動ギヤ７８に伝達され、駆動ギヤ７８が正転方向（図６中矢印ｅ１方向）に回転される。これによって、ラックギヤ３６が駆動ギヤ７８に噛合されたディスクトレイ２０は、外筐３の外側に引き出される方向に第１及び第２のガイド部５１，５２にガイドされながら移動される。また、駆動モータ７１が逆転駆動されると、この駆動力が第１のプーリ７３、第２のプーリ７５、中間ギヤ７６、伝達ギヤ７７ａを介して駆動ギヤ７８に伝達され、駆動ギヤ７８が逆転方向（図６中矢印ｅ２方向）に回転される。これによって、ラックギヤ３６が駆動ギヤ７８に噛合されたディスクトレイ２０は、外筐３の外側から外筐３内に引き込まれる方向に第１及び第２のガイド部５１，５２にガイドされながら移動される。
【００４１】
ところで、上記ディスク回転駆動機構５や光ピックアップ装置６が設けられることにより再生部が構成されたベース４は、図５に示すように、フレーム５３に取り付けられている。これを具体的に説明すると、ベース４をフレーム５３に支持する支持機構８０は、ベース４が取り付け支持される回動支持部材８３の両側縁部のに設けられた支軸８１，８１がフレーム５３の側壁５３ａ，５３ｂに設けられた凹部よりなる支持部８２，８２に係合されることによって、ベース４をフレーム５３に、図５中矢印ａ１及びａ２方向に回動支持している。
【００４２】
ベース４の背面側は、両コーナ部近傍において、フレーム５３にベース４の振動を吸収する振動防止機構８４，８４介して取り付けられている。振動防止機構８４，８４は、ベース４をフレーム５３の取付部に取り付けるための取付部材に弾性体となるコイルバネ、ゴム材等の弾性体を取り付けてなる。また、ベース４の前面側の両コーナ部も、回動支持部材８３に振動防止機構８５，８５を介して取り付けられている。この振動防止機構８５，８５も、ベース４を回動支持部材８３の取付部に取り付けるための取付部材に弾性体となるコイルバネ、ゴム材等の弾性体を取り付けてなる。これら振動防止機構８４，８４，８５，８５は、外筐３に加わった振動が光ピックアップ装置６に伝わり、光ピックアップ装置６がデータの読み取りを正確に行うことができなくなることを防止している。なお、上述したディスクトレイ２０の逃げ穴２６，２６は、この振動防止機構８５，８５の逃げとなる。
【００４３】
このような支持機構８０は、回動支持部材８３の支軸８１，８１をフレーム５３の支持部８２，８２に係合されることで、再生部が構成されたベース４をフレーム５３に対して図５中矢印ａ１及びａ２方向に回動可能に支持し、ディスク回転駆動機構５や光ピックアップ装置６をディスクトレイ２０に対して近接離間できるようにしている。また、ベース４は、背面側がフレーム５３に振動防止機構８４，８４を介して取り付けられ、前面側が回動支持部材８３に振動防止機構８５，８５を介して取り付けられていることから、フレーム５３に加わった振動がベース４に伝わらないようにし、例えば再生中に振動が加わっても光ディスク２が振動によって、面ぶれが引き起こされたり、対物レンズ９のトラッキングサーボが外れてしまうことを防止することができる。
【００４４】
フレーム５３には、このように支持機構８０によって回動支持されたベース４を回動操作する操作機構９０が設けられている。この操作機構９０を図５、図６及び図１０を参照して説明すると、この操作機構９０は、上記搬送機構７０を構成する伝達ギヤ７７のトレイ用ギヤ部７７ｂによって、ディスクトレイ２０の移動方向と直交する方向に移動操作される操作部材９１を有する。
【００４５】
この操作部材９１は、ディスクトレイ２０と略平行な移動ガイド片９２とディスクトレイ２０に対して略垂直なベース操作片９３とが一体的に形成されている。移動ガイド片９２は、ディスクトレイ２０と略平行な板状体であり、その端面が搬送機構７０を構成する伝達ギヤ７７のトレイ用ギヤ部７７ｂに対向している。移動ガイド片９２の端面には、伝達ギヤ７７のトレイ用ギヤ部７７ｂに噛合するラックギヤ９４が設けられている。また、移動ガイド片９２には、操作部材９１の移動方向に沿って複数のガイド孔９５が設けられている。ガイド孔９５は、フレーム５３に設けられた複数のガイド片９６が係合され、操作部材９１がディスクトレイ２０の移動方向と直交する図５、図６及び図１０中矢印ｂ１及びｂ２方向に移動できるようになっている。操作部材９１は、ラックギヤ９４が伝達ギヤ７７のトレイ用ギヤ部７７ｂに噛合されていることで、ガイド孔９５に係合されたガイド片９６にガイドされながら図５、図６及び図１０中矢印ｂ１及びｂ２方向に移動する。
【００４６】
移動ガイド片９２に対して略垂直に設けられたベース操作片９３は、ディスクトレイ２０に対して略垂直な面を有し、この面に、再生部が構成されたベース４に設けられた操作突起９７が係合される操作溝９８が設けられている。操作溝９８は、ベース４をディスクトレイ２０から離間した状態に保持するための第１の水平部９８ａと、第１の水平部９８ａの上側に設けられベース４をディスクトレイ２０に近接した状態に保持する第２の水平部９８ｂと、第１の水平部９８ａと第２の水平部９８ｂとを連結する傾斜部９８ｃとを有する。
【００４７】
ディスクトレイ２０の出し入れを行うとき、操作部材９１は、図５、図６及び図１０中矢印ｂ２方向に移動しており、操作突起９７は、下側の第１の水平部９８ａに係合した状態にある。これによって、操作突起９７が第１の水平部９８ａに係合したベース４は、支軸８１を支点として図５中ａ１方向に回動し、ディスク回転駆動機構５や光ピックアップ装置６をディスクトレイ２０から待避した、すなわち離間した状態となる。ラックギヤ９４に噛合されたトレイ用ギヤ部７７ｂが噛合した伝達ギヤ７７が逆転方向に回転すると、操作部材９１は、ガイド孔９５に係合されたガイド片９６にガイドされて図５、図６及び図１０中矢印ｂ１方向に移動する。すると、操作突起９７は、第１の水平部９８ａから傾斜部９８ｃを介して第１の水平部９８ａより上側の第２の水平部９８ｂに移動する。これによって、操作突起９７が設けられたベース４は、フレーム５３の支持部８２に支持された支軸８１を支点として、図５中ａ２方向に回動する。これによって、再生部が構成されたベース４は、ディスクトレイ２０に近接する方向に回動し、ディスク回転操作機構５を構成するディスクテーブル８を開口部２４よりディスク保持部２２，２３内に進入させ、ディスク保持部２２，２３に保持されている光ディスク２をチャッキングしデータの読み出しを行うことができるようにする。
【００４８】
このベース４の回動操作は、ディスク回転駆動機構５や光ピックアップ装置６とディスクトレイ２０とが接触若しくは衝突することを防止するためにディスクトレイ２０が完全に外筐３に収納されている状態で行う必要がある。また、操作部材９１は、その移動に搬送機構７０を構成する駆動モータ７１を駆動源とする伝達ギヤ７７を用いて移動される。そこで、操作部材９１は、ディスクトレイ２０の移動と操作部材９１の移動を関連付け、再生部が構成されたベースの回動を、ディスクトレイ２０が外筐３に完全に収納された状態で行うようにしている。すなわち、ベース操作片９３には、ディスクトレイ２０の裏面と対向する端面に、トレイ本体２１の裏面に設けられた再生部操作溝４１に係合する係合突起９９が形成されている。係合突起９９は、ディスクトレイ２０側の再生部操作溝４１に係合することによって、ディスクトレイ２０の出し入れと関連して操作部材９１に接続されたベース４を回動することができるようにする。動作については後述するが、この再生部操作溝４１に係合突起９９を係合させることによって、ディスクトレイ２０が完全に外筐３に収納された後、操作部材９１が移動し、再生部が構成されたベース４を図５中矢印ａ２方向に回動してベース４をディスクトレイ２０に近接させるようにしている。
【００４９】
ディスクトレイ２０が外筐３より引き出され光ディスク２を交換できる位置にあるとき、操作部材の係合突起９９は、第１の直線部４１ａに係合しており、操作部材は、ベース４を待避位置に保持している。ディスクトレイ２０が外筐３内に引き込まれるに連れて、第１の傾斜部４１ｂ、第２の直線部４１ｃに亘って移動する。ディスクトレイ２０の引き込み動作時において、係合突起９９は、第２の直線部４１ｃを移動することから、操作部材９１は移動することなく、ベース４も待避位置にある。ディスクトレイ２０の引き込み動作が終了すると、係合突起９９は、第２の傾斜部４１ｄから垂直部４１ｅに亘って移動する。これによって、操作部材９１は、ベース４をディスクトレイ２０に近接する方向に移動し、再生位置に保持する。
【００５０】
次に、以上のように構成されたディスク再生装置１の動作について説明する。先ず、ディスクトレイ２０が外筐３に収納された状態を上記図６を参照して説明する。なお、この図６に示す状態は、ディスクトレイ２０は収納位置にあるが、再生部が構成されたベース４は、ディスクトレイ２０と離間した状態にある。ディスクトレイ２０が外筐３に収納された収納位置にあるとき、搬送機構７０を構成する駆動ギヤ７８は、ディスクトレイ２０のラックギヤ３６の前端部に噛合した状態にある。このとき、ディスクトレイ２０の第１のガイド溝３７は、先端側の寸法ａの拡幅部３７ａが寸法ｂの基準幅部３７ｂより幅広に形成されているが、ラックギヤ３６に噛合している駆動ギヤ７８は、所定の圧力角を有し、ディスクトレイ２０をフレーム５３に設けられた第１のガイド部５１を構成する第１のガイド片５５，ガイド突部５６，５７の方向に押圧している。これにより、第１のガイド片５５，ガイド突部５７は、ディスクトレイ２０の第１のガイド溝３７の内側の面３８に接触し、ディスクトレイ２０は、拡幅部３７ａにガイド突部５６が係合していることに伴うがたつきが防止されている。なお、このとき、先端側のガイド突部５６は、第１のガイド溝３７を構成する拡幅部３７ａに係合しており、ガイド突部５６より基端側に位置しているガイド突部５７は、基準幅部５７ｂに係合している。
【００５１】
また、このとき、操作機構９０を構成する操作部材９１は、係合突起９９がディスクトレイ２０の再生部操作溝４１の第２の傾斜部４１ｄと垂直部４１ｅとの境界部近傍に位置していることから、第２の傾斜部４１ｄによって僅かに図６中ｂ１方向に移動し、ラックギヤ９４の一端が伝達ギヤ７７のベース用ギヤ部７７ｃに噛合した状態にある。このとき、操作部材９１の操作溝９８と係合するベース４の操作突起９７は、操作溝９８を構成する下側の第１の水平部９８ａに係合した状態にあり、したがって、再生部を構成するベース４は、未だ、図５及び図１０中矢印ａ１方向に回動し、ディスクトレイ２０から離間した待避位置にある。すなわち、この状態では、ディスク回転駆動機構５は、光ディスク２をチャッキングしておらず、再生可能な状態にない。
【００５２】
ディスクトレイ２０は、第３のガイド溝４０がフレーム５３の第３のガイド突部６３に係合しており、位置決めされている。第３のガイド突部６３は、第１のガイド溝３７の拡幅部３７ａにおいてガイド突部５６に対するがたつきが許容されていることで、成型歪み等によって第１のガイド溝３７が湾曲したときにも、第３のガイド溝４０に係合するようになっている。また、ディスクトレイ２０は、前面側において、第１のガイド溝３７に拡幅部３７ａを設け、この拡幅部３７ａにガイド突部５６を係合させるようにすることで、がたつきを許容し、背面側において、第３のガイド突部６３を第３のガイド溝４０に係合させ、水平方向に傾かないように位置決めされている。したがって、ディスク保持部２２，２３に保持された光ディスク２は、所定位置にあり、次に説明するように再生を行うためディスク回転操作機構５を構成するディスクテーブル８が開口部２４より進入したとき、センタ孔２ａにディスクテーブル８が確実に係合し、安定した状態で光ディスク２を回転することができるようになる。
【００５３】
また、この状態のとき、ディスクトレイ２０は、第３のガイド溝４０にフレーム５３の第３のガイド突部６３が係合し位置決めされていることから、水平方向の傾きがなくなり、挿脱口２９を閉塞する化粧板２７は、外筐３との段差が無くなり、外筐３とほぼ面一となり、見栄えや手触りが悪くなることを防止することができる。
【００５４】
なお、図１１に、ディスクトレイ２０の第１のガイド溝３７の幅を全て寸法ｂとし、更に第３のガイド溝４０にフレーム５３の第３のガイド突部６２を係合させなかったときのディスクトレイ２０の収納状態を示す。このとき、ディスクトレイ２０のラックギヤ３６の前端部で噛合している駆動ギヤ７８は、ディスクトレイを第１のガイド片５５の方向に押圧する。すると、通常、第１のガイド溝３７は、第１のガイド片５５のより幅広に形成されていることから、ディスクトレイ２０は、例えば前方のガイド片５５を支点として、図１１中矢印Ｘ方向にθ１°分傾いてしまう。
【００５５】
ここで、傾きθ１°について図１２を参照して説明すると、この傾きθ１°は、次式により表される。
【００５６】
θ１°＝ｔａｎ−１（（Ｘ２−Ｘ１）／Ｙ１）・・・式１
ここで、Ｘ１は、ディスクトレイ２０の中心線Ｏと第１のガイド溝３７のガイド突部５６が係合した位置における第１のガイド溝３７の幅方向の中心との距離を示し、Ｘ２は、ディスクトレイ２０の中心線Ｏと第１のガイド溝３７のガイド突部５７が係合した位置における第１のガイド溝３７の幅方向の中心との距離を示し、Ｙ１は、ガイド突部５６，５７間の距離を示す。
【００５７】
この傾きθ１°が大き過ぎるときには、第１のガイド溝３７と第１のガイド片５５、ガイド突部５６，５７とが干渉し合い、ディスクトレイ２０が円滑に動作しなくなってしなう。また、ディスクトレイ２０が収納されているとき、挿脱口２９と化粧板２７との間に段差が生じ、見栄えが悪くなってしまい、また、ディスク保持部２２，２３に保持された光ディスク２の位置がチャッキング位置と大幅にずれてしまい、確実に光ディスク２をチャッキングできなくなってしまう。
【００５８】
これに対して、図６に示す例では、第３のガイド溝４０にフレーム５３の第３のガイド突部６２を係合させており、収納位置が規制されていることから、その傾きは、図６中θ２となる。この傾きθ２は、例えば第３のガイド溝４０と第３のガイド突部６２の誤差により生じる傾き程度の極めて小さいものとなる。
【００５９】
ここで、傾きθ２°について図６及び図１２を参照して説明すると、この傾きθ２°は、次式により表される。
【００６０】
θ２°＝ｔａｎ−１（（Ｘ２−Ｘ０）／Ｙ２）・・・式２
ここで、Ｘ２は、ディスクトレイ２０の中心線Ｏと第１のガイド溝３７のガイド突部５７が係合した位置における第１のガイド溝３７の幅方向の中心との距離を示し、Ｘ０は、ディスクトレイ２０の中心線Ｏと第１のガイド溝３７の中心線Ｏとの距離を示し、Ｙ２は、ガイド突部５７と第３のガイド突部６３との距離を示す。ここで、Ｙ１とＹ２との関係は、図６及び図１２から明らかなように、Ｙ２≫Ｙ１である。
【００６１】
ところで、図１３に示すように、ディスクトレイ２０の中心線Ｏと第１のガイド溝３７の中心線との距離であるＸ０は、ディスクトレイ２０の傾きによって、例えばＸ３からＸ５に亘って変化する。何れの場合にも、Ｘ２−Ｘ０≦Ｘ２−Ｘ１である。
【００６２】
以上の条件より、上記式１から算出されるθ１°と上記式２から算出されるθ２°との関係は、θ１°≫θ２°となり、ディスクトレイ２０は、収納位置において、図６に示す例の方が図１１に示す例の方より傾きが小さくなることが分かる。そして、Ｘ２＝Ｘ０となるようにガイド突部５７を設けることによってθ２°≒０°、すなわちディスクトレイ２０の傾きを無しとすることができる。
【００６３】
また、このディスクトレイ２０の傾きを操作部材９１の係合突起９９とディスクトレイ２０の再生操作溝４１との関係に着目すると、図１４に示すようになる。図１４は、図６及び図１１の状態、すなわちディスクトレイ２０が収納位置にあるときの、操作部材９１の操作突起９９と再生操作溝４１との位置関係を示す図である。図１４中、実線は、図６に示すディスクトレイ２０の再生操作溝４１を示し、点線は、図１１に示すディスクトレイ２０の再生操作溝４１を示す。図６に示す例では、傾きθ２°がほぼ０であるから、係合突起９９が再生操作溝４１のほぼ中心線上に位置する。これに対して、図１１の例は、ディスクトレイ２０がθ１°分Ｘ方向に傾いていることから、θ１°分再生操作溝４１も傾いており、更に駆動ギヤ７８により押圧されることで、係合突起９９の位置は、図６の例に比べてずれている。したがって、このずれの分だけ、ディスク保持部２２，２３に保持されている光ディスク２の位置もずれていることになり、例えばチャッキングを確実に行うことができなくなる。これに対して、図６の例は、係合突起９９の位置は、ほぼ中心線Ｏ上にあり、正規の位置にある。したがって、ディスク保持部２２，２３に保持されている光ディスク２の位置も正規な位置にあることになり、例えばチャッキングも確実に行うことができる。
【００６４】
また、この図１４に示す状態から操作突起９９が再生のため垂直部４１ｅの方向に移動したり、光ディスク２の排出のため第２の直線部４１ｃの方向に移動するときにも、図６の例の係合突起９９は、図１１の例の係合突起９９に比べ再生操作溝４１を構成する側壁に接触することなく、円滑に移動することができる。
【００６５】
この状態で、例えばユーザによって操作部を構成する再生開始ボタンが押されると、駆動モータ７１は逆転駆動される。これによって、伝達ギヤ７７も逆転方向に回転し、操作部材９１を図６及び図１０中矢印ｂ１方向に移動する。すると、ベース４の操作突起９７は、操作部材９１の移動に伴って下側の第１の水平部９８ａから傾斜部９８ｃを介して上側の第２の水平部９８ｂに移動する。これによって、操作突起９７を介してベース４は、図１０の支持機構８０を構成する支持部８２に支持された支軸８１を回動支点として図５及び図１０中矢印ａ２方向に回動する。これによって、ベース４に配設されたディスクテーブル８は、ディスクトレイ２０の開口部２４よりディスク保持部２２，２３内に進入し、光ディスク２のセンタ孔２ａに係合すると共にディスク保持部２２，２３より僅かに持ち上げ、クランピングプレートとで回転可能な状態で挟持する。次いで、ディスク回転駆動機構５を構成するスピンドルモータ７が駆動し光ディスク２を例えば線速度が一定となるようにディスクテーブル８を回転駆動する。これと共に、光ピックアップ装置６は、半導体レーザより光ビームを出射する。この光ビームは、対物レンズ９で収束され、光ディスク２に照射されると共に、反射膜で反射される。光ピックアップ装置６は、光検出器で戻りの光ビームを検出し、データの読み出しを行う。また、光ピックアップ装置６は、モータ１３を駆動源とする送り機構によってガイド軸１２に沿って送り操作される。
【００６６】
なお、光ディスク２の再生時においては、操作部材９１の係合突起９９が再生操作溝４１の第２の傾斜部４１ｂから垂直部４１ｅに移動する。これによって、ディスクトレイ２０は、僅かに引き込まれ、ラックギヤ３６が駆動ギヤ７８と噛合していない状態となる。したがって、ディスクトレイ２０は、第３のガイド突部６３が第３のガイド溝４０に係合することのみによって、収納位置に位置決めされた状態となる。ディスクトレイ２０は、駆動ギヤ７８がラックギヤ３６を押圧する押圧力が無くなる分、上記図６に示す再生前のディスクトレイ２０の収納状態と比べてがたつきやすくなるが、光ディスク２の再生時には、光ディスク２がチャッキングされていることから、ディスクトレイ２０ががたつきやすくなることに伴う問題は生じない。
【００６７】
光ディスク２の再生が終了したときには、搬送機構７０を構成する駆動モータ７１が正転駆動され、伝達ギヤ７７が正転方向に回転されることで、ベース用ギヤ部７７ｃにラックギヤ９４が噛合された操作部材９１は、ガイド孔９５に係合されたガイド片９６にガイドされて図６及び図１０中矢印ｂ２方向に移動する。これによって、ベース４の操作突起９７は、操作部材９１の移動に伴って上側の第２の水平部９８ｂから傾斜部９８ｃを介して下側の第１の水平部９８ａに移動し、操作突起９７を介してベース４は、図１０の支持機構８０を構成する支持部８２に支持された支軸８１を回動支点として図５及び図１０中矢印ａ１方向に回動し、ディスクトレイ２０と離間した上記図６に示す状態となる。また、操作部材９１の係合突起９９も再生操作溝４１の垂直部４１ｅから第２の傾斜部４１ｄに戻り、駆動ギヤ７８は、ラックギヤ３６の前端部に噛合する。
【００６８】
次に、上記図６にディスクトレイ２０の収納位置からディスクトレイ２０を外筐３の外側に引き出すときの動作について説明する。
【００６９】
例えばユーザによって光ディスク２の排出ボタンが押されると、搬送機構７０を構成する駆動モータ７１は、正転駆動し、ディスクトレイ２０のラックギヤ３６に噛合している駆動ギヤ７８を正転方向（図６中矢印ｅ１方向）に回転する。すると、駆動ギヤ７８にラックギヤ３６が噛合しているディスクトレイ２０は、次第に図９中矢印ｃ１方向に直線移動を開始する。すると、先ず、図１５に示すように、ディスクトレイ２０側の第３のガイド溝４０は、ディスクトレイ２０が図９中矢印ｃ１方向に直線移動することによって、フレーム５３に設けられた第３のガイド突部６３との係合状態が解除される。このとき、第１のガイド溝３７の拡幅部３７ａには、未だ先端側のガイド突部５６が係合しており、第１のガイド溝３７の基準幅部３７ｂには、基端側のガイド突部３７ｂが係合した状態にある。このときには、駆動ギヤ７８は、正転方向、すなわち図１５中矢印ｅ１方向に回転する。これによって、ディスクトレイ２０は、第１のガイド溝３７の幅とガイド突部５６，５７との差分だけ基端側のガイド突部５７を中心に図１５中Ｘ方向に回転しようとする。しかしながら、ガイド突部５６，５７は、第１のガイド溝３７の内側の面３８に接触する。したがって、ディスクトレイ２０は、移動時、ガイド突部５６，５７が内側の面３８にガイドされる。
【００７０】
なお、このとき、操作機構９０を構成する操作部材９１の係合突起９９は、伝達ギヤ７７が正転方向に回転することで、操作部材９１が図６及び図１０中矢印ｂ１方向に移動することで、再生操作溝４１の第２の傾斜部４１ｄを介して第２の直線部４１ｃの方向に移動する。係合突起９９が第２の傾斜部４１ｄから第２の直線部４１ｃに移るとき、操作部材９１のラックギヤ９４と伝達ギヤ７７のベース用ギヤ部７７ｃとの係合状態は解除される。そして、操作部材９１は、係合突起９９が第２の直線部４１ｃを移動するとき、何れの方向にも移動しない。
【００７１】
更に、搬送機構７０を構成する駆動モータ７１が正転駆動され続けると、図１６に示すように、駆動ギヤ７８は、図１６中矢印ｅ１方向に回転し、ディスクトレイ２０は、更に図１６中矢印ｃ１方向に移動する。すると、第１のガイド部５１を構成するガイド突部５６，５７は、第１のガイド溝３７の基準幅部３７ｂに位置する。例えば上記図４に示すように樽型に成型され、第１のガイド溝３５が湾曲しているとき、ディスクトレイ２０は、第１のガイド溝３７の内側の面３８に倣って湾曲した曲線を描いて図１６中矢印ｃ１方向に移動する。なお、操作機構９０を構成する操作部材９１は、係合突起９９が再生操作溝４１の第２の直線部４１ｃを移動することから移動しない。
【００７２】
ディスクトレイ２０は、搬送機構７０を構成する駆動モータ７１が更に正転駆動されると、外筐３の挿脱口２９とり完全に引き出され、ディスク保持部２２，２３に保持された光ディスク２の交換が可能な状態となる。図１７に示すように、ディスクトレイ２０が外筐３の外側に引き出されたとき、第１のガイド部５１を構成するガイド突部５６，５７は、第１のガイド溝３７の基準幅部３７ｂに位置する。この基準幅部３７ｂは、拡幅部３７ａに比べて幅が狭い。したがって、ディスクトレイ２０は、ガイド突部５６，５７と第１のガイド溝３７との間隙により発生するがたつきを小さくすることができる。操作部材９１は、図１７に示すように、係合突起９９が再生操作溝４１の第１の傾斜部４１ｂ若しくは第１の直線部４１ａに係合した位置にある。なお、搬送機構７０を構成する駆動モータ７１は、例えば検出スイッチが移動するディスクトレイ２０によってオンされたときに停止される。
【００７３】
この状態で、ユーザは、ディスクトレイ２０の両側に設けられた切欠部２５，２５を介して指で光ディスク２を把持することができ、光ディスク２の交換を行うことができる。
【００７４】
なお、図１７に示す状態からディスクトレイ２０を外筐３内に引き込む際の動作は、以上の説明の逆となる。すなわち、ユーザによって光ディスク２の排出ボタン等が再度押されると、搬送機構７０を構成する駆動モータ７１は、逆転駆動する。すると、駆動ギヤ７８は、図１７中矢印ｅ２方向に回転し、ディスクトレイ２０を図１７中矢印ｃ２方向に直線移動させる。このとき、ディスクトレイ２０は、第１のガイド溝３７に係合された第１のガイド片５５及びガイド突部５６，５７並びに第２のガイド溝３９に係合された第２のガイド突部６３にガイドされて図１７中矢印ｃ２方向に直線移動される。これと共に、操作部材９０は、係合突起９９が第２の直線部４１ｃを第２の傾斜部４１ｄの方向に移動する。これによって、ディスクトレイ２０は、上記図６に示すように外筐３内に収納される。
【００７５】
以上のように構成されたディスク再生装置１は、第１のガイド溝３７の先端側に拡幅部３７ａを設けるようにし、ディスクトレイ２０の収納位置において、この拡幅部３７ａにガイド突部５６を係合させるようにすることで、第１のガイド溝３７が湾曲して形成されてしまったときにも、ディスクトレイ２０を正規な収納位置に位置決め保持できる。ディスクトレイ２０の収納位置への位置決めは、具体的に、ディスクトレイ２０側の第３のガイド溝４０にフレーム５３側の第３のガイド突部６３を係合させることによって行うことができる。すなわち、ディスクトレイ２０の傾きを従来より小さく若しくは無くすことができる。これによって、ディスク再生装置１の外観的には、ディスクトレイ２０が収納位置にあるとき、外筐３と挿脱口２９を閉塞する化粧板２７とが面一となり、外観が悪くなることを防止することができる。また、ディスク保持部２２，２３に保持されている光ディスク２は、ディスクトレイ２０が正確に位置決めされることで、所定位置に保持されることになり、ベース４に配設されたディスクテーブル８とこのディスクテーブル８に対向配置されたクランピングプレートとで確実にチャッキングされる。
【００７６】
また、ディスクトレイ２０を収納位置から引き出すとき、ディスクトレイ２０は、ラックギヤ３６に噛合した駆動ギヤ７８によって移動される。このとき、ディスクトレイ２０は、第１のガイド部５１を構成するガイド突部５６，５７が駆動ギヤ７８の押圧力により第１のガイド溝３７の内側の面３８に接触しながら移動する。これにより、ディスクトレイ２０の移動時におけるがたつきを防止することができる。
【００７７】
また、ディスクトレイ２０が合成樹脂を射出成形で一体的に形成したときに、冷却時の歪み等で第１のガイド溝３７が湾曲したときであっても、ディスクトレイ２０は、収納位置において、第１のガイド溝３７の前端側の拡幅部３７ａにおけるガイド突部５６に対するがたつきを許容し、これとは反対側の背面側で第３のガイド溝４０に第３のガイド突部６３を係合させることで、水平方向の傾きを無くし正規な位置に確実に位置決め保持される。
【００７８】
以上、図面を参照して本発明を適用したディスク再生装置を説明したが、本発明はこれに限定されるものではない。例えば、以上の例では、記録媒体保持部材として光ディスク２を保持するディスクトレイ２０を用いたディスク再生装置１を説明したが、記録媒体としては、光ディスク、光磁気ディスク、磁気ディスク等を記録媒体に用いるディスクカートリッジ、磁気テープを記録媒体に用いるテープカートリッジ、半導体メモリを記録媒体に用いるＩＣカード等の記録媒体カートリッジであってもよい。この場合、記録媒体保持部材は、このような記録媒体カートリッジを保持する部材となる。
【００７９】
【発明の効果】
本発明によれば、記録媒体保持部材の移動方向に沿って設けられたガイド溝が、先端側において幅広に形成され、記録媒体保持部材が収納位置にあるとき、この幅広部にガイド突部が係合することで、記録媒体保持部材の水平方向のがたつきの許容度が増す。したがって、例えば、記録媒体保持部材は、背面側において、更なるガイド溝にガイド突起を係合させるようにすることで、がたつきを無くした状態で正規位置に確実に位置決め保持できるようになる。これにより、再生時、記録媒体よりデータの読み出しを行う再生機構は、記録媒体を確実に再生可能な状態に保持できる。
【００８０】
また、記録媒体保持部材が正規な位置に位置決め保持されることで、記録媒体保持部材に取り付けられた外筐の一部をなす化粧板も、他の領域と面一をなし、外観が悪くなることを防止することができる。
【図面の簡単な説明】
【図１】本発明を適用したディスク再生装置の斜視図である。
【図２】本発明を適用したディスクトレイを上側から見た斜視図である。
【図３】上記ディスクトレイを下側から見た斜視図である。
【図４】樽型に変形したディスクトレイを説明する平面図である。
【図５】上記ディスクトレイのガイド機構、搬送機構及びベースの回動操作機構を説明する斜視図である。
【図６】上記ディスクトレイ、ガイド機構、搬送機構及びベースの回動操作機構を説明する平面図であり、ディスクトレイが外筐に収納された状態を示す。
【図７】ガイド機構を構成する第１のガイド部と第２のガイド部とを説明する断面図である。
【図８】第１のガイド部を構成するガイド突部と第１のガイド溝との関係を説明する平面図である。
【図９】第３のガイド溝と第３のガイド突部との関係を説明する断面図である。
【図１０】再生部が構成されたベースを回動操作する操作機構を説明する斜視図である。
【図１１】従来のディスクトレイの収納状態を説明する平面図である。
【図１２】収納位置にあるディスクトレイの傾きを説明する図である。
【図１３】収納位置にあるディスクトレイの傾き状態を説明する図である。
【図１４】ディスクトレイが収納位置にあるときの、操作部材の操作突起とディスクトレイの再生操作溝との位置関係を示す図である。
【図１５】  ディスクトレイの引き出し時にフレーム側の第３のガイド突部と第３のガイド溝との係合状態が解除された状態を示す平面図である。
【図１６】図１５の状態から更にディスクトレイが引き出された状態を示す平面図である。
【図１７】ディスクトレイが完全に引き出された状態を示す平面図である。
【符号の説明】
１  ディスク再生装置、２  光ディスク、３  外筐、４  ベース、５  ディスク回転駆動機構、６  光ピックアップ装置、２０  ディスクトレイ、２１  トレイ本体、２２  第１のディスク保持部、２３  第２のディスク保持部、２７  化粧板、２８  取付片、２９  挿脱口、３１  取付溝、３４  第１のガイドレール、３５  第２のガイドレール、３６  ラックギヤ、３７  第１のガイド溝、３７ａ拡幅部、３７ｂ  基準幅部、３８  内側の面、３９  第２のガイド溝、４０  第３のガイド溝、５０  が移動機構、５１  第１のガイド部、５２  第２のガイド部、５３  フレーム、５４  第１の支持片、５５  第１のガイド片、５６，５７  ガイド突部、５８  第１の係合片、５９  第２の支持片、６１  第２のガイド片、６２  第２の係合片、６３  第３のガイド突部、７０  搬送機構、７１  駆動モータ、７７  伝達ギヤ、７７ａ  伝達ギヤ部、７７ｂ  トレイ用ギヤ部、７７ｃ  ベース用ギヤ部、７８  駆動ギヤ、９０  操作機構、９４  ラックギヤ、９７  操作突起、９９  係合突起
【図１】
0003918609.tif 000002
【図２】
0003918609.tif 000003
【図３】
0003918609.tif 000004
【図４】
0003918609.tif 000005
【図５】
0003918609.tif 000006
【図６】
0003918609.tif 000007
【図７】
0003918609.tif 000008
【図８】
0003918609.tif 000009
【図９】
0003918609.tif 000010
【図１０】
0003918609.tif 000011
【図１１】
0003918609.tif 000012
【図１２】
0003918609.tif 000013
【図１３】
0003918609.tif 000014
【図１４】
0003918609.tif 000015
【図１５】
0003918609.tif 000016
【図１６】
0003918609.tif 000017
【図１７】
0003918609.tif 000018